(57)【要約】【課題】濾過作用を損なうことなく掃除及び交換するために機器から完全に取り外すことができるフィルタを提供する。【解決手段】ヘアケア機器は、第１の端部及び第２の端部を有する円筒形ハウジングであって、円筒形でハウジングの第１の端部に隣接する流体入口を有する円筒形ハウジングと、流体出口と、流体流路と、機器に電力を供給するためのケーブルと、を備え、ケーブルは、ハウジングの第１の端部でハウジングに接合し、流体入口は、取外し可能部分を含む濾過システムを備え、取外し可能部分は、第１の状態及び第２の状態を有するフィルタグリルを備え、フィルタグリルは、該フィルタグリルの２つの部分の間の磁気的継ぎ手によって第１の状態に保持される。濾過システムは、フィルタメッシュを含む固定部分をさらに備えることができ、フィルタメッシュは、フィルタグリルが取り外された場合に円筒形ハウジングに対して保持される。【選択図】図３
2019076720.tif 000002
【特許請求の範囲】
【請求項１】
ヘアケア機器であって、
第１の端部及び第２の端部を有する円筒形ハウジングであって、円筒形で前記ハウジングの前記第１の端部に隣接する流体入口をさらに有する円筒形ハウジングと、
流体出口と、
前記流体入口と前記流体出口との間に延びる流体流路と、
前記機器に電力を供給するためのケーブルと、
を備え、
前記ケーブルは、前記ハウジングの前記第１の端部で前記ハウジングに連結し、前記流体入口は、取外し可能部分を含む濾過システムを備え、前記取外し可能部分は、第１の状態及び第２の状態を有するフィルタグリルを備え、前記フィルタグリルは、前記フィルタグリルの２つの部分の間の磁気的継ぎ手によって第１の状態に保持される、ことを特徴とする機器。
【請求項２】
前記濾過システムは、フィルタメッシュを含む固定部分をさらに備え、前記フィルタメッシュは、前記フィルタグリルが取り外された場合に前記円筒形ハウジングに対して保持される、請求項１に記載の機器。
【請求項３】
前記円筒形ハウジングは前記第１の端部と前記第２の端部との間で軸に沿って延びる、請求項１又は２に記載の機器。
【請求項４】
前記フィルタグリルは、ねじりロックシステム及び磁気的継ぎ手のうちの１又は２以上によって前記円筒形ハウジングに対して保持される、請求項１から３のいずれかに記載の機器。
【請求項５】
前記円筒形ハウジングは、前記第２の端部から前記第１の端部に向かって延びる外壁を備え、前記円筒形ハウジングに対して取り付けられた場合、前記フィルタグリルは、円筒形ハウジングの前記第１の端部から前記第２の端部に向かって延びる壁を含む、請求項１から４のいずれかに記載の機器。
【請求項６】
前記フィルタグリルの前記壁は、前記外壁に当接する、請求項５の記載の機器。
【請求項７】
前記フィルタグリルの前記壁は、前記外壁の内部又は外部のいずれかに延びるリップを備える、請求項５の記載の機器。
【請求項８】
前記濾過システムは、第３の濾過層を備える、請求項１から７のいずれかに記載の機器。
【請求項９】
前記第３の濾過層はメッシュであり、前記フィルタグリルの内面に固定される、請求項８に記載の機器。
【請求項１０】
前記フィルタグリルは洗浄できる、請求項１から９のいずれかに記載の機器。
【請求項１１】
前記磁気的継ぎ手は、２つの磁石、又は１つの磁石と磁化材片のいずれかを備える、請求項１から１０のいずれかに記載の機器。
【請求項１２】
前記フィルタグリルの２つの部分は、第１の縁部及び第２の縁部を備える、請求項１から１１のいずれかに記載の機器。
【請求項１３】
前記フィルタグリルは壁を備え、前記壁は前記第１の縁部と前記第２の縁部との間に延びる、請求項１２に記載の機器。
【請求項１４】
前記フィルタグリルが前記第１の状態にある場合、前記第１の縁部及び前記第２の縁部は当接する、請求項１２又は１３に記載の機器。
【請求項１５】
前記第１の縁部及び前記第２の縁部の各々は、磁石又は磁化材片のいずれかを収容するための凹部を備える、請求項１２から１４のいずれかに記載の機器。
【請求項１６】
前記フィルタグリルが前記ハウジングに取り付けられた場合、前記磁気的継ぎ手は、前記ハウジングの前記第１の端部に隣接する、請求項５に記載の機器。
【請求項１７】
前記第１の縁部及び前記第２の縁部の各々は、位置決め特徴部の一部を備える、請求項１２に記載の機器。
【請求項１８】
前記位置決め特徴部は、前記第１の縁部及び前記第２の縁部の一方から円周方向に延びる突起部と、前記第１の縁部及び前記前記第２の縁部の他方の協働する凹部とから形成される、請求項１７に記載の機器。
【請求項１９】
前記フィルタメッシュは、フレームと、前記フレーム上に接合された濾過媒体とを備える、請求項２に記載の機器。
【請求項２０】
前記フレームは、前記ハウジングの前記第１の端部と前記第２の端部との間に延びる軸に対して平行に前記フレームに沿って延びる位置決めスロットを備える、請求項１９に記載の機器。
【請求項２１】
前記フィルタグリルは、前記フィルタグリルの前記壁の内面から半径方向内向きに延びる機械的継ぎ手を備え、前記機械的継ぎ手は、前記位置決めスロットの内部に保持されるようになっている、請求項２０に記載の機器。
【請求項２２】
前記機械的継ぎ手は２つの部分で形成され、前記機械的継ぎ手の第１の部分は、前記壁の前記第１の縁部に隣接して形成され、前記機械的継ぎ手の前記第２の部分は、前記壁の前記第２の縁部に隣接して形成される、請求項２１に記載の機器。
【請求項２３】
前記フィルタグリルが前記第２の状態にある場合、前記壁の前記第１の縁部及び前記第２の縁部は、相隔たる、請求項１３に記載の機器。
【請求項２４】
前記機器はヘアドライヤである、請求項１から２３のいずれかに記載の機器。
【請求項２５】
前記機器は、温風整髪ブラシである、請求項１から２３のいずれかに記載の機器。
【発明の詳細な説明】
【技術分野】
【０００１】
本発明は、ヘアケア機器に関し、特にヘアケア機器のフィルタに関する。
【背景技術】
【０００２】
従来の温風整髪機器では、空気はファンユニットによって入口に吸い込まれ、出口によって毛髪に向けられる。多くの場合、１つの機器には異なる付属品が提供され、各付属品は異なる出口を、従って乾燥、カール又はボリューム付けなどの異なる機能を有する。空気は、所望のスタイルに応じて加熱すること又は加熱しないことができる。付属品は、スタイリングのために毛髪を巻き付けて保持する剛毛状突起を含むことができる。従来、機器に流入する流体を濾過してダスト及び毛髪を除去するためにフィルタが設けられている。
【０００３】
伝統的に、ヘアドライヤは、ケーシング及びハンドルを有し、ケーシングは、フィルタ、ファンユニット、及びヒータなどの構成要素を収容する。対照的に、ヘアスタイリング機器は、ケーシングに保持される。
【０００４】
例えば、比較的大きな開口部を有するグリルと、比較的小さな開口部を有する内部フィルタとを備えた多層濾過システムを設けることが知られている。多くの場合、グリルは、内部フィルタの掃除、又は損傷時にフィルタ層のうちの１つの交換が可能なように取り外し可能である。グリルは、機器のケーシングに摩擦嵌め、捻り嵌め、機械的連結、又はスナップ嵌めすることができる。
【０００５】
多くの場合、機器は、電力を供給するためのケーブルを流体入口及び機器のフィルタの近くに備える。掃除のためにフィルタを取り外す場合、フィルタは依然としてケーブル上に保持されることになり、フィルタをケーブルから取り外すことが好ましい。
【発明の概要】
【発明が解決しようとする課題】
【０００６】
本発明は、濾過作用を損なうことなく掃除及び交換するために機器から完全に取り外すことができるフィルタを提供しようとするものである。
【課題を解決するための手段】
【０００７】
本発明は、第１の態様において、ヘアケア機器を提供し、該機器は、第１の端部及び第２の端部を有する円筒形ハウジングであって、円筒形でハウジングの第１の端部に隣接する流体入口をさらに有する円筒形ハウジングと、流体出口と、流体入口と流体出口との間に延びる流体流路と、機器に電力を供給するためのケーブルと、を備え、ケーブルは、ハウジングの第１の端部でハウジングに接合し、流体入口は、取外し可能部分を含む濾過システムを備え、取外し可能部分は、第１の状態及び第２の状態を有するフィルタグリルを備え、フィルタグリルは、該フィルタグリルの２つの部分の間の磁気的継ぎ手によって第１の状態に保持される。
【０００８】
また、第１の状態及び第２の状態は、一方は磁気的継ぎ手が結合した形状、他方は磁気的継ぎ手が分かれた形状の２つの形状と見なすことができる。
【０００９】
好ましくは、濾過システムは、フィルタメッシュを含む固定部分をさらに備え、フィルタメッシュは、フィルタグリルが取り外された場合に円筒形ハウジングに対して保持される。これは、機器に流入する流体に対して何らかの濾過処理なしで機器が作動するのを防止する。
【００１０】
好ましい実施形態において、円筒形ハウジングは、第１の端部と第２の端部との間で軸に沿って延びる。
【００１１】
好ましくは、フィルタグリルは、円筒形ハウジングに対してねじりロックシステム及び磁気的継ぎ手のうちの１又は２以上によって保持される。従って、フィルタグリルは、ハウジングに固定するためにハウジングに対して回転することができ、又はフィルタグリルは、ハウジングに対して長手方向に変位することができる。
【００１２】
好ましい実施形態において、円筒形ハウジングは、第２の端部から第１の端部に向かって延びる外壁を備え、円筒形ハウジングに対して取り付けられた場合、フィルタグリルは、円筒形ハウジングの第１の端部から第２の端部に向かって延びる壁を構成する。
【００１３】
好ましくは、フィルタグリルの壁は、外壁に当接する。
【００１４】
好ましい実施形態において、フィルタグリルの壁は、外壁の内部又は外部のいずれかに延びるリップを備える。これは、外壁と壁との間の位置合わせを助ける。
【００１５】
好ましくは、濾過システムは、第３の濾過層を備える。
【００１６】
好ましい実施形態において、第３の濾過層は、メッシュであり、フィルタグリルの内面に固定される。
【００１７】
好ましくは、フィルタグリルは洗浄可能である。
【００１８】
好ましい実施形態において、磁気的継ぎ手は、２つの磁石又は１つの磁石及び磁化材片のいずれかを備える。
【００１９】
好ましくは、フィルタグリルの２つの部分は、第１の縁部及び第２の縁部を備える。
【００２０】
好ましい実施形態において、フィルタグリルは壁を備え、壁は第１の縁部と第２の縁部との間に延びる。
【００２１】
好ましくは、フィルタグリルが第１の状態にある場合、第１の縁部及び第２の縁部は当接する。
【００２２】
好ましくは、第１の縁部及び第２の縁部の各々は、磁石又は磁化材片のいずれかを収容するための凹部を備える。
【００２３】
好ましい実施形態において、フィルタグリルがハウジングに取り付けられた場合、磁気的継ぎ手は、ハウジングの第１の端部に隣接する。
【００２４】
好ましくは、第１の縁部及び第２の縁部の各々は、位置決め特徴部の一部を備える。
【００２５】
好ましい実施形態において、位置決め特徴部は、第１の縁部及び第２の縁部の一方から円周方向に延びる突起部と、第１の縁部及び前記第２の縁部の他方の協働する凹部とから形成される。この位置決め特徴部は、フィルタグリルを中心に集めること及びその円形化を助ける。
【００２６】
好ましくは、フィルタメッシュは、フレームと、フレーム上に接合された濾過媒体とを備える。
【００２７】
好ましい実施形態において、フレームは、ハウジングの第１の端部と第２の端部との間に延びる軸に対して平行にフレームに沿って延びる位置決めスロットを備える。
【００２８】
好ましくは、フィルタグリルは、フィルタグリルの壁の内面から半径方向内向きに延びる機械的継ぎ手を備え、機械的継ぎ手は、位置決めスロットの内部に保持されるようになっている。
【００２９】
好ましい実施形態において、機械的継ぎ手は２つの部分で形成され、機械的継ぎ手の第１の部分は、壁の第１の縁部に隣接して形成され、機械的継ぎ手の第２の部分は、壁の第２の縁部に隣接して形成される。
【００３０】
好ましくは、フィルタグリルが第２の状態にある場合、壁の第１の縁部及び第２の縁部は、相隔たる。
【００３１】
好ましい実施形態において、機器はヘアドライヤである。
【００３２】
好ましくは、機器は温風整髪ブラシである。
【００３３】
本発明は、以下に添付図面を参照して単に例示的に説明される。
【図面の簡単な説明】
【００３４】
【図１】取り外し可能なフィルタを有するヘアドライヤを示す。
【図２】図１のヘアドライヤを通る断面を示す。
【図３】フィルタグリルが取り外されたヘアドライヤの等角図を示す・
【図４ａ】ある取り外し段階でのフィルタグリルを備えたヘアドライヤ入口を示す。
【図４ｂ】ある取り外し段階でのフィルタグリルを備えたヘアドライヤ入口を示す。
【図４ｃ】ある取り外し段階でのフィルタグリルを備えたヘアドライヤ入口を示す。
【図５ａ】本発明による１つのフィルタグリルの実施形態の等角図を示す。
【図５ｂ】本発明による１つのフィルタグリルの実施形態の等角図を示す。
【図６ａ】開放状態でのフィルタグリルの側面図を示す。
【図６ｂ】開放状態でのフィルタグリルの上面図を示す。
【図６ｃ】閉鎖状態でのフィルタグリルの上面図を示す。
【図７】分解組立図で表されたフィルタグリルの等角図を示す。
【図８】本発明によるフィルタメッシュを示す。
【図９】取り外し可能なフィルタを有する温風整髪機器を示す。
【発明を実施するための形態】
【００３５】
図１及び２は、ハンドル２０及び本体３０を備えたヘアドライヤ１０の実施例を示す。ハンドルは、本体３０から遠位側の第１の端部２４を有し、さらにハンドルは主流体入口４０と、本体３０に接続した第２の端部２２とを含む。電力は、ケーブル５０を通ってヘアドライヤ１０に供給される。ヘアドライヤ１０からのケーブル５０の遠位端にはプラグ（図示せず）が設けられており、プラグは、主電源又はバッテリパックなどへの電気接続を可能にする。主流体入口４０は、２又は３の濾過層を含む濾過システムを備えている。濾過システムは、取外し可能部分５２及び固定部分５４を含む。取外し可能部分５２は、掃除のためにユーザが取り外すことができ、固定部分５４は、取外し可能部分５２が取り外されている場合にユーザが清掃のためにアクセスすることができる。
【００３６】
取外し可能部分５２は、フィルタグリル４８で形成された外層を含み、固定部分５４は、フィルタメッシュ４４で形成された内層を含む。本実施形態では、随意的に外層と内層との間に位置付けられた第３の層１４８（図３）が存在し、第３の層１４８は、濾過システムの取外し可能部分５２ａの一部を成す。フィルタメッシュ４４は、ハンドル２０に対して固定され、フィルタグリル４８を取り外した際に拭き取ること又はブラシをかけることで掃除することができる。
【００３７】
ハンドル２０は、本体３０からハンドルの第１の端部２４に向かって延在する外壁２００を有する。ハンドル２０の主流体入口４０は、フィルタグリル４８で形成された外層を有し、これは外壁２００の本体３０からの遠位端２００ａからハンドルの外壁２００の外形を延ばし、ハンドルの第１の端部２４にまで及ぶ。フィルタグリル４８は、一連の行及び／又は列に延びる開口部４２のアレイを有する壁９２と、壁９２から半径方向内向きに延びる端壁２１０とを含む。ケーブル５０は、端壁２１０の開口部２１２を通ってヘアドライヤの中に入る。ケーブル５０は、端壁２１０のほぼ中心に位置決めされ、ハンドル２０の中心から延びる。ハンドル２０は長手方向軸線Ｘ−Ｘを有し、外壁２００はこの軸線に沿って本体３０から第１の端部２４に向かって延びる。
【００３８】
フィルタグリル４８は、毛髪及び他の異物がヘアドライヤの主流体流路４００に流入するのを防ぐことを助け、粗濾過段（開口部４２が約２．８ｍｍ（２８００ミクロン）の直径を有する）を提供する。
【００３９】
主流体入口４０の上流にはファンユニット７０が設けられている。ファンユニット７０はファン及びモータを含む。ファンユニット７０は、主流体入口４０を通して流体を吸い込み、主流体入口４０から本体３０（ハンドル２０及び本体３０が接続される箇所９０）に延びる主流体流路４００を通して本体３０に向かわせる。本体３０は、第１の端部３２及び第２の端部３４を有し、主流体流路４００は、本体３０を通って本体の第２の端部３４に向かって、ヒータ８０を迂回して主流体出口４４０まで続き、ここでファンユニットによって吸い込まれた流体が主流体流路４００から排出される。主流体流路４００は直線ではなく、ハンドル２０内を第１の方向に進み、本体３０を通って第１の方向に対して直交する第２の方向に進む。
【００４０】
本体３０は、外壁３６０及び内部ダクト３１０を含む。主流体流路４００は、本体に沿って、外壁３６０と内部ダクト３１０との間のハンドル２０及び本体３０の接続部９０から、本体３０の第２の端部３４の主流体出口４４０に向かって延びる。
【００４１】
内壁２６０は外壁３６０の内部に延びる。内壁２６０は、少なくとも部分的に主流体出口４４０を定め、本体３０の第２の端部３４から内部ダクト３１０と外壁３６０との間に延びる。
【００４２】
本体の内部には他の流体流路が設けられており、この流れはファンユニット又はヒータによって直接処理されず、ヘアドライヤを通る主流れを生成するファンユニットの作用によってヘアドライヤの中に吸い込まれる。この流体流れは、主流体流路４００を通過する流体によってヘアドライヤの中に取り込まれる。
【００４３】
本体の第１の端部３２は流体入口３２０を含み、本体の第２の端部３４は流体出口３４０を含む。流体入口３２０及び流体出口３４０の両方は、少なくとも部分的に、本体３０の内壁でありかつ本体の内部を本体に沿って延びる内部ダクト３１０によって定められる。流体流路３００は、流体入口３２０から流体出口３４０まで内部ダクト３１０の内部に延びる。本体３０の第１の端部３２において、側壁３５０が外壁３６０と内部ダクト３１０との間に延びる。この側壁３５０は、少なくとも部分的に流体入口３２０を定める。主流体出口４４０は、環状かつ流体流路を取り囲む。
【００４４】
ヘアドライヤ用の制御電子部品を含むＰＣＢ（プリント基板）７５が、側壁３５０及び流体入口３２０の近くで本体３０内に位置決めされる。ＰＣＢ７５は、リング状であり、内部ダクト３１０と外壁３６０との間で内部ダクト３１０の周囲に延びる。ＰＣＢ７５は、主流体流路４００と流体連通している。ＰＣＢ７５は、流体流路３００の周囲に延び、内部ダクト３１０によって流体流路３００から分離される。
【００４５】
ＰＣＢ７５は、ヒータ８０の温度及びファンユニット７０の回転速度などのパラメータを制御する。内部配線（図示せず）は、ＰＣＢ７５をヒータ８０及びファンユニット７０及びケーブル５０に電気的に接続する。ＰＣＢ７５に接続する制御ボタン６２、６４が設けられており、ユーザは例えば温度設定範囲及び流量を選択することができる。
【００４６】
ＰＣＢ７５の下流にはヒータ８０があり、ＰＣＢ７５とヒータ８０との間にはＰＣＢバッフル７００が設けられている。ＰＣＢバッフルは、特にヒータ８０作動時のＰＣＢ７５のための熱保護を可能にする。
【００４７】
使用時、ファンユニット７０の作用によって主流体流路４００の中に吸い込まれる流体は、随意的にヒータ８０によって加熱され、主流体出口４４０から流出する。この処理流により、流体入口３２０において流体が流体流路３００に取り込まれるようになる。流体は、本体の第２の端部３４において処理流と合流する。図２に示す実施例において、処理流は、流体出口３４０を通ってヘアドライヤから排出される取り込まれた流れを囲む環状流として、主流体出口４４０及びヘアドライヤから排出される。従って、ファンユニット及びヒータによって処理された流体は、取り込まれた流れによって増大する。
【００４８】
本体３０は、本体３０の長さに沿って延びる長手方向軸線Ａ−Ａに関してほぼ対称である。ダクト３１０及び外壁３６０は同心であり、ダクト３１０と外壁３６０との間に配置されたヒータ８０も同様である。
【００４９】
図９は、付属品１１０と一緒に温風整髪機器１００の実施例を示す。温風整髪機器１００は、反対側の端部に流体入口１３０及び流体出口１４０を有する略管状のハンドル１２０を備える。管状ハンドル１２０は、楕円断面を有する。本実施形態において、すでに図１及び２に例示及び説明した構成要素は同様の参照符号を有する。
【００５０】
流体入口１３０は、上記したように２又は３の濾過層を含む濾過システムを備える。取外し可能部分５２は、フィルタグリル１３２で形成された外層を含み、固定部分５４は、フィルタメッシュ４４（図示せず）で形成された内層を含む。
【００５１】
ハンドルの流体入口１３０は、フィルタグリル１３２の周りでこれに沿って延びる開口部４２のアレイ（列）を備える。
【００５２】
内部で（図示せず）、ファンユニットはファン及びモータを備える。使用時、モータはファンを駆動し、空気は、フィルタグリル１３２の開口部４２を通ってハンドル１２０の長さを貫通して延びる流体流路に沿って吸い込まれる。流体は、随意的にヒータ（図示せず）によって、温風整髪機器から流出して付属品１１０に流入する前に加熱され、付属品では流体はスロット１５０を通って流出する。機器１００は、電力ケーブルを介して主電源に接続することができ、又はハンドル１２０内にバッテリを収容することができる。
【００５３】
フィルタメッシュ４４は、フィルタグリル４８、１３２の下流に設けられる。フィルタメッシュ４４は、機器に対して永続的に固定され、微細な濾過段を提供し、ここでメッシュ開口部の直径は、８０から５００ミクロンであり、好ましくは２００−３００ミクロンの範囲である。フィルタメッシュ４４はブラシがけ又は拭き取ることで清掃することができるが、中間濾過層を提供することが好都合であり、中間濾過層は、この微細フィルタ上流の比較的小さな汚染物質のある割合を保持し、フィルタメッシュ４４が詰まるのを遅らせる。濾過システムは第３の濾過段を備え、この第３の濾過段は、取外し可能部分５２ａ又は固定部分５４の一部を形成することができる。好ましい選択肢では、この第３のフィルタは、取外し可能部分の一部を形成し、１つの実施形態において、配置し間違えることがなく、この第３のフィルタ１４８は、フィルタグリル４８の壁９２の内面９２ａ上に同時成形（ｃｏ−ｍｏｕｌｄｅｄ）される。第３のフィルタ１４８は、２０から５００ミクロン及び４０から５０％の開口面積の開口部を備えたプラスチックメッシュであり、好ましくは５０から１００ミクロンの範囲である。第３のフィルタの適切な材料はＰＥＴ（ポリエチレン・テレフタレート）である。フィルタメッシュ４４及び第３のフィルタ１４８の両方は、目視するには小さ過ぎる開口部を有しており、個々の開口部は示されていない。第３のフィルタ１４８の導入は機器の性能を維持するのを助ける。
【００５４】
取外し可能部分５２は手で又は食洗機で洗浄することができ、取外し可能部分に保持されるどんなものでも比較的簡単に落とすことができ、さらに詰まった任意の開口部を外部又は内部の両方から掃除することができるので、掃除の有効性が高くなっている。対照的に内側グリル４４を備える固定部分５４は、外面だけからアクセスできるので任意の掃除の有効性はより低い。
【００５５】
次に図４ａから６ｃを参照すると、フィルタグリル４８は取り外し可能な物品である。ハンドル２０及びフィルタグリル４８、１３２は、円形（４８）又は楕円形（１３２）の断面を有する円筒状又は管状である。フィルタグリル４８、１３２は２つの状態を有しかつ可撓性であり、すなわちプラスチック材料で成形されており、第１の状態において、フィルタグリル４８、１３２は自然な緩んだ状態で開いている。フィルタグリル４８、１３２は、湾曲して開ループ又はＣ形を成す壁９２を有し、さらに壁９２は、この壁に沿って軸方向に延び、間隙９４によって分離されるか又は壁内で切断された端面１９０、１９２を有する。第２の状態において、フィルタグリル４８、１３２は閉じており（図４ａ）、壁９２は閉ループを成す、すなわち間隙９４は閉じている。本実施形態において、フィルタグリル４８、１３２は、機械的及び磁気的カップリングを用いて閉じた状態に保持される。機械的及び磁気的カップリングは、手で開くこと及び再度形作ることができる。
【００５６】
フィルタグリル４８、１３２を閉構成に保持するために、磁気カップリング１７０を使用する。一対の磁石又は１つの磁石、及び一体部品の磁化材（１つの磁化材片）を間隙９４の左右側に配置する。この実施例において、磁気カップリング１７０は、フィルタグリル４８、１３２の壁９２の一端９２ｂで適切な大きさの凹部１７２の中に収容される。加えて、機械的継ぎ手６０（図６ｃ）は、フィルタグリル４８、１３２に沿って長手方向に延び、フィルタグリル４８、１３２の円環状を閉じた状態に維持するのを助ける。一方の端面１９０は突起部１９４を備え、他方の端面１９２は対応した大きさの凹部１９６を備え、ほぞ継ぎ手を形作る（図６ａ）。従って、磁気カップリング１７０が１つになる（合体する）と、突起部１９４は凹部１９６に係合して機械的継ぎ手６０を形成し、間隙９４が閉じる。
【００５７】
図３から８に対して説明した実施形態に関して、取外し可能部分５２、４８は、機械的及び磁気的カップリングによって濾過システム２０の固定部分５４に対して保持される。固定部分５４は、フィルタメッシュ４４（図３、４ｃ及び８）と、フィルタメッシュ４４を支持して取外し可能部分５２のための機械的カップリングをもたらすフレーム５６とを含む。フレーム５６は、フィルタメッシュ４４の外周の周りに延びる第１の縁部１５２及び第２の縁部１５４を有し、第１の縁部１５２は外壁の遠位端２００ａに隣接して配置され、第２の縁部１５４はハンドルの第１の端部２４に隣接して配置される。連結部１５６は、第１の縁部１５２と第２の縁部１５４との間で長手方向に延びる。
【００５８】
連結部１５６は、機械的カップリングのための部位をもたらす。フィルタグリル４８、１３２は比較的薄い（ｔ1）ので、突起部１９４及び凹部１９６から形成された機械的継ぎ手６０が提供される位置では、壁９２の厚さ（ｔ2）は増大されて機械的継ぎ手６０を収容するようになっている。また、この局所的な肉厚化は、磁気的継ぎ手１７０を収容する凹部１７２のための空間を提供する。
【００５９】
フィルタグリル４８、１３２の環状性を維持することに加えて、機械的継ぎ手６０は、濾過システムの固定部分５４に対してフィルタグリル４８、１３２を機械的に保持するための手段を提供する。機械的継ぎ手６０は、フィルタグリル４８、１３２の内部の矩形伸長部をもたらす、すなわち、機械的継ぎ手６０は、壁９２の内面９２ａから半径方向内向きに延びる。連結部１５６は、フィルタグリル４８、１３２をハンドル２０に取り付ける際に機械的継ぎ手６０を保持するようになっているスロット１５８を含む。
【００６０】
ここで図４ａから４ｃを参照すると、フィルタグリル４８は、当初は機器に取り付けられ、機器の作動時に周囲空気から毛髪及び汚染物質を集める。時間と共に、フィルタグリル４８の開口部４２及び随意的な第３の層１４８の一部の詰まりが発生することになり、これは機器の全体性能に影響を与える可能性がある。機器は、ユーザに対して機器の性能が低下しており濾過システムの詰まりを確認する必要があることを知らせるインジケータを含むことができる。
【００６１】
濾過システムの取外し可能部分５２は、取外し可能部分５２をハンドル２０の外壁２００から離れて長手方向に摺動させることで固定部分５４から取り外される。機械的継ぎ手６０がスロット１５８から取り外されると、取外し可能部分５２（フィルタグリル４８及び随意的に第３の層１４８を備える）は、ケーブルから取り外すことができる。磁気的継ぎ手１７０は分離（解除）され、これは、フィルタグリル４８を第１の状態に配置する、すなわち壁９２の対向する端面１９０、１９２の間に形成された間隙９４を開ける。間隙９４並びに取外し可能部分５２の可撓性によって、フィルタグリル４８及び随意的に第３の層１４８は、手で又は食洗機のいずれかによって洗浄するために、実質的にケーブル５０から順に取り外すことができる。
【００６２】
取外し可能部分５２と固定部分５４との間に機械的カップリングを有することに加えて、図３から８で説明する実施形態において、磁気的取付け機構がある。フィルタグリル１３２は、端壁２１０に収容される一対の磁石２６、２８を備え、同様に固定部分５４のフレーム５６は、一対の磁石６６、６８を備える。一対の磁石２６、２８及び６６、６８の両方は、機械的継ぎ手６０から半径方向に離間し、理想的には、互いに１８０度反対に配置されて機械的継ぎ手６０の左右側で均等な力を与えるようになっている。
【００６３】
当業者であれば、一対の磁石２６、２８及び６６、６８のうちの一方は、磁化材に置き換え得ることを理解できるはずである。
【００６４】
フレーム５６の連結部１５６は、機械的継ぎ手６０よりも幅広であるか、または固定部分５４の外周のより大きな割合にわたって延びる。このことは、機械的継ぎ手６０を通って引き込まれる可能性のある何らかの迷走流体（ｓｔｒａｙ  ｆｌｕｉｄ）をフィルタメッシュ４４で濾過することを保証する。
【００６５】
本発明は、ヘアドライヤに関して詳細に説明したが、流体を吸い込んでこの流体を機器から流出させるように導く何らかの機器に適用可能である。
【００６６】
一般に、機器内を流れる流体は空気であるが、数種類又は１種類の気体の異なる組み合わせであってもよく、機器の性能、あるいは出力が向けられる毛髪などの物体及びそのスタイリングに機器が与える影響を改善する添加物を含むこともできる。
【００６７】
本発明は、上述した詳細な説明に限定されるものではない。当業者には、変形例が明らかであろう。
【符号の説明】
【００６８】
１０  ヘアドライヤ
２０  ハンドル
２６  内壁
３０  本体
４４  フィルタメッシュ
４８  フィルタグリル
５２  取外し可能部分
５４  固定部分
６８  磁石
９２  壁
１４８  第３の層
１５８  スロット
２００ａ  遠位端
２１０  端壁
【図１】
2019076720.tif 000003
【図２】
2019076720.tif 000004
【図３】
2019076720.tif 000005
【図４ａ】
2019076720.tif 000006
【図４ｂ】
2019076720.tif 000007
【図４ｃ】
2019076720.tif 000008
【図５ａ】
2019076720.tif 000009
【図５ｂ】
2019076720.tif 000010
【図６ａ】
2019076720.tif 000011
【図６ｂ】
2019076720.tif 000012
【図６ｃ】
2019076720.tif 000013
【図７】
2019076720.tif 000014
【図８】
2019076720.tif 000015
【図９】
2019076720.tif 000016